(57)【要約】      （修正有）【課題】一般のハード・ディスク装置を大容量のメモリ・カードとして使用でき、使用中に着脱操作可能なカード読取装置を提供する。【解決手段】メモリ・カード１２を嵌挿可能な少なくとも一つの嵌挿槽部１１と、使用中にホスト装置と装着可能なＵＳＢコネクタ１３とを有するカード読取装置１のある側面部にはＩＤＥ嵌挿槽１４が配設され、ＩＤＥ嵌挿槽２１を有するハード・ディスク装置２がそこに接続される。【選択図】図１
0003107323.tif 000002
【実用新案登録請求の範囲】
【請求項１】
メモリ・カードを嵌挿可能な少なくとも一つの嵌挿槽部と、使用中にホスト装置と着脱可能なＵＳＢコネクタとを有するカード読取装置であって、  そのカード読取装置のある側面部にはＩＤＥ嵌挿槽が配設され、ＩＤＥ嵌挿槽を有するハード・ディスク装置がそこに接続できるようにしたことを特徴とする、
カード読取装置構造。
【請求項２】
前記カード読取装置のある側面部には四つのメモリ・カード嵌挿槽同士を有し、それぞれが、ＳＤ，ＭＩＮＩ−ＳＤ，ＭＭＣ，ＲＳ−ＭＭＣ，ＣＦ，ＭＤ，ＭＳ，ＭＳ−ＰＲＯ，ＭＳ−ＤＵＯ，ＳＭＣ，ＸＤなどの仕様のフラッシュ・メモリ・カードの嵌挿を受けることができるようにしたことを特徴とする、
請求項１に記載のカード読取装置構造。
【請求項３】
前記のカード読取装置と前記のハード・ディスク装置との間は、それぞれＩＤＥコネクタとを有する配線によって接続されるようにしたか、読取装置とハード・ディスク装置とのＩＤＥ嵌挿槽同士を直接に嵌挿させるようにすることを特徴とする、
請求項１に記載のカード読取装置構造。
【考案の詳細な説明】
【技術分野】
【０００１】
本考案は、一種のカード読取装置構造に係わり、特にそのようなカード読取装置に、一般のハード・ディスク装置を大容量のメモリ・カードとして導入使用可能な、直接的に使用中に着脱結合可能なカード読取装置構造に関するものである。
【背景技術】
【０００２】
近年では、マーケットにおいては、フラッシュ・メモリ・カードのブームが引き起こしており、それが従来のソフト・ディスク装置を取替え、一種の大容量の記憶メディアとなり、且つカード読取装置の盛んな発展を推し進めており、マーケットの角度から見る場合では、それは大量の記憶容量のニーズが製品の更新を引き起こすだけのものに過ぎないものである。
【０００３】
数年前、フラッシュ・メモリ・カードが単にデジタル・カメラの産業で流行っていた。主に、ＵＳＢデータ・トランスミッション・コードを介してコンピュータ装置と接続する。そのようなフラッシュ・メモリ・カードの最大の機能は、デジタル・カメラの撮影した写真を保存するものであり、しかしながら、トランスミッション・コードを介してコンピュータと接続する場合では、ドライバー・プログラムをインストールしなければ使用できないものである。所定のコンピュータ装置だけに使用しないと、かなり不便である。それらのフラッシュ・メモリ・カードがコンピュータの分野に適用されてマルチ・メディア・インフォーメーションを記憶することができるので、前記のようなカード読取装置がフラッシュ・メモリ・カードとコンピュータ装置との間をリンクする重要的な手段となっている。
【０００４】
明らかに、前記のようなカード読取装置の機能は、フラッシュ・メモリ・カードとコンピュータとの間のトランスミッションを担当する架け橋のものとなっており、カード読取装置を介しては、われわれは、コンピュータ装置において、フラッシュ・メモリ・カードに記憶される写真を回覧でき、且つ記憶されるミュージックを楽しむことができ、またはそれを記憶されるファイルをシェア使用できる。デジタル・カメラ装置とコンピュータ装置をトランスミッション・コードを介して接続して使用する必要はなく、気軽にフラッシュ・メモリ・カードをマイクロ・タイプの身につけられるハード・ディスク装置にアップ・グレードさせることができる。また、そのようなカード読取装置には複数種のフォーマットのフラッシュ・メモリ・カード、例えば、コンパクト・フラッシュ・タイプI＆II（ＣＦ）や、マイクロドライブ（ＭＤ）や、スマート・メディア（ＳＭ）や、メモリ・スティック（ＭＳ）や、ＭＳ  ＰｒｏやＭＳ  Ｄｕｏやマルチメディアカード（ＭＭＣ）やＳｅｃｕｒｅ  Ｄｉｇｉｔａｌ（ＳＤ）や新たなｘＤ  Ｐｉｃｔｕｒｅ  Ｃａｒｄ（ｘＤ）などを合わせて使用できる。また、前記のそれぞれのタイプのフラッシュ・メモリ・カードが世に出ているので、前記のカード読取装置もシングル・デバイスにシングル・スロットのものから、それぞれのタイプのものを相容れるシングル・デバイスに複数のスロットを有する機種へ発展してきた。
【０００５】
しかしながら、前記のそれぞれのタイプのフラッシュ・メモリ・カードが使用者に多くの利便性を提供できるが、否定できないことは、従来のハード・ディスク装置が依然として情報を記憶するための主要な周辺的設備となっており、われわれはコンピュータ装置のホスト装置を取り替える場合に、よく、古いホスト装置内のまだ使用可能な設備を取り外して新たなコンピュータ装置のホスト装置内に取り付けるようにする。そのため、元の大量の情報が記憶されるハード・ディスク装置が最先に選択される物品に決まっている。また、目前のハード・ディスク装置は大体ＩＤＥ接続レッグ（接続用の端子の足部分）の仕様の物品を使用し、且つＩＤＥコネクタを有する配線を介してマザー・ボード装置と接続し、そのため、そのようなハード・ディスク装置を取り外し及び取りつける場合では、すべて新しいコンピュータ装置と古いコンピュータ装置のケーシングを取り外す必要がある。または、コンピュータのホスト装置に予めハード・ディスク装置の嵌挿槽を配設し、且つそのハード・ディスク装置の嵌挿槽の内面にＩＤＥ両面ソケットを配設し、前記の配線の接続に供することができるようにし、他に、引き出し式のケースを購入してハード・ディスク装置を配設することに供する。また、その引き出し式のケースの内面においても、ＩＤＥ両面ソケットを有し、その一面がハード・ディスク装置と対抗接続しあうとともに、その他の一面がコンピュータのホスト装置のハード・ディスク装置嵌挿槽の内面と対向接続しあうようにする。そうすると、ハード・ディスク装置が身につけて使用できるようになっている。前記のハード・ディスク装置と前記のコンピュータのホスト装置が取り外される場合に、すべて電源を切る必要があり、このことは、目前の流行っている使用中に着脱使用可能な潮流と逆になっており、一つのハード・ディスク装置を着脱しようとする場合では、必ずスイッチをオフさせる必要があるので、使用者に多くの不便さをもたらすことがある。また、従来のカード読取装置の場合では、メモリ・カード装着すれば使用可能になるという機能を具備しているが、その記憶容量がハード・ディスク装置に及ばないものであるので、マルチメディア情報の記憶保存のニーズに対応不能と認められ、また、そのトランスミッション・スピードもハード・ディスク装置よりかなり遅くなっており、且つその価格も一般のハード・ディスク装置よりかなり高価になっているので、カード読取装置に対し同じようにハード・ディスク装置を使用中に着脱使用可能な機能を付与できれば、フラッシュ・メモリ・カードのそれぞれの欠点を補うことができれば、きっとコンピュータ装置の使用者に大した効果をもたらせることができると認められている。
【考案の開示】
【考案が解決しようとする課題】
【０００６】
前記の従来のそれぞれの手段及びカード読取装置のそれぞれの欠点に鑑みて、本考案の考案者は研究開発を進めるとともに、学術の運用を合わせて極めた結果、ついにカード読取装置構造に対しハード・ディスク装置を大容量のメモリ・カードとして使用でき、使用中に直接に着脱使用可能なカード読取装置を提供するに至った。
【０００７】
そのため、本考案は、カード読取装置に対し、一般のハード・ディスク装置を大容量のメモリ・カードとして使用でき、直に着脱可能な効果を実現できる、カード読取装置構造を提供することをその主要な解決しようとする課題とする。
【課題を解決するための手段】
【０００８】
前記の目的を図るために、本考案によるカード読取装置構造は、メモリ・カードを嵌挿可能な少なくとも一つの嵌挿槽部と、使用中に干すと装置と着脱可能なＵＳＢコネクタとを有するカード読取装置であって、そのカード読取装置のある側面部にはＩＤＥ嵌挿槽が配設され、ＩＤＥ嵌挿槽を有するハード・ディスク装置がそこに接続できるようにした、カード読取装置構造となるようにする。
【考案を実施するための最良の形態】
【０００９】
本考案の目的とその特徴とその効果を詳しく説明するために、以下に具体的な実施の形態を挙げて本考案を詳細かつ具体的に説明する。
【００１０】
図１と図２とはそれぞれ本考案の構成と示す説明図とその内部の構造を示すブロック図である。そのカード読取装置１には四つのメモリ・カード同士を嵌挿可能な嵌挿槽１１を有し、それぞれには、コンパクト・フラッシュ・タイプI＆II（ＣＦ）や、マイクロドライブ（ＭＤ）や、スマート・メディア（ＳＭ）や、メモリ・スティック（ＭＳ）や、ＭＳ  ＰｒｏやＭＳ  Ｄｕｏやマルチメディアカード（ＭＭＣ）やＳｅｃｕｒｅ  Ｄｉｇｉｔａｌ（ＳＤ）や新たなｘＤ  Ｐｉｃｔｕｒｅ  Ｃａｒｄ（ｘＤ）などの仕様のフラッシュ・メモリ・カード１２を嵌挿できる。且つそのカード読取装置１には、コンピュータ装置のホスト装置と使用中に着脱使用可能なＵＳＢコネクタ１３を有している。その中では、そのカード読取装置１のある側面部にはＩＤＥ嵌挿槽１４が配設され、ＩＤＥコネクタ１５１の配線１５を介してハード・ディスク装置２とカード読取装置１のＩＤＥ嵌挿槽２１，１４と接続できる。他に、前記のカード読取装置とハード・ディスク装置との間の直接のことについては、配線を使用することに限ることはなく、カード読取装置１のＩＤＥ嵌挿槽をそのカード読取装置の裏端部に配設し、ハード・ディスク装置をカード読取装置の表面に跨って配設するとともに、直にカード読取装置のＩＤＥ嵌挿槽と対向接続させるようにすることができる。
【００１１】
また、カード読取装置１の内部には、シングル・チップ１０と接続するためのＩＤＥインターフェースが配設され、且つシングル・チップ１０のＣＦメモリ・カードに対応するレッグ同士をシェアし、それらのことによって、ＩＤＥ嵌挿槽１４と外界との使用中の着脱可能な機能を提供し、他に、そのシングル・チップ１０がコンピュータ装置を起動するためのプログラムをコントロールでき、且つハード・ディスク装置２を一種のメモリ・カードとして見なすことができ、コンピュータ装置を起動する場合に、主動的にメモリ・カード嵌挿槽１２とＩＤＥ嵌挿槽１４にはメモリ・カードが嵌挿されているかのことを検出し、ハード・ディスク装置１０を検出する場合では、前記のシングル・チップ１０がそのハード・ディスク装置２に対し少なくとも２００秒間遅延される給電時間をサポートし、また、ハード・ディスク装置２が抜け出される場合に、前記のシングル・チップ１０がまず、ハード・ディスク装置１０に給電を中止させ、その内部の情報を保護する。
【００１２】
こうすると、一般のハード・ディスク装置２を大容量のメモリ・カードとして使用でき、使用中に着脱操作可能な効果を提供できる。
【産業上の利用可能性】
【００１３】
本考案は、普通のハード・ディスク装置を大容量のメモリ・カードとして使用でき、使用中に着脱操作可能な効果を提供できるなどの多くの産業上の利用可能性を有する。
【００１４】
前記に説明したように、本考案の設計は、従来のカード読取装置構造より新たな創作される構造を有しつつ、実用性と新規性とを有するので、実用新案登録の要件に該当すると確信致します。
【００１５】
本考案については、前記のように、優れる実施の形態を開示したが、それらの具体的な構成は本考案の実施の範囲を狭めるものではなく、当該分野における技術者は本考案の技術的要旨に基づいて相同の効果を有する改造や変更や一部転用などの他の構成を作り出すことができるが、それらのものも本考案の実用新案登録請求の範囲（実用新案技術評価請求によって拒絶する理由が無い場合）内において、権利の範囲に属することは、言うまでもないことである。
【図面の簡単な説明】
【００１６】
【図１】本考案の構成を示す説明図である。
【図２】本考案の内部の構成を示すブロック図である。
【符号の説明】
【００１７】
１      カード読取装置
２      ハード・ディスク装置
１０    シングル・チップ
１２    メモリ・カード
１３    ＵＳＢコネクタ
１４    ＩＤＥ嵌挿槽
１５    配線
２１    ＩＤＥ嵌挿槽
１５１  ＩＤＥコネクタ
【図１】
0003107323.tif 000003
【図２】
0003107323.tif 000004
【手続補正書】
【提出日】平成16年9月27日(2004.9.27)
【手続補正１】
【補正対象書類名】実用新案登録請求の範囲
【補正対象項目名】全文
【補正方法】変更
【補正の内容】
【実用新案登録請求の範囲】
【請求項１】
メモリ・カードを嵌挿可能な少なくとも一つの嵌挿槽部と、使用中にホスト装置と着脱可能なＵＳＢコネクタとを有するカード読取装置であって、 そのカード読取装置のある側面部にはＩＤＥ嵌挿槽が配設され、ＩＤＥ嵌挿槽を有するハード・ディスク装置がそこに接続できるようにしたことを特徴とする、 
カード読取装置構造。 
【請求項２】
前記嵌挿槽部は互に異なる種類のフラッシュ・メモリ・カードの嵌挿が受けられるよう
にした四つのメモリ・カード嵌挿槽部が前記カード読取装置の側面部に構成されたことを
特徴とする、 
請求項１に記載のカード読取装置構造。 
【請求項３】
前記のカード読取装置と前記のハード・ディスク装置との間は、それぞれＩＤＥコネク
タとを有する配線によって接続されるようにしたか、読取装置とハード・ディスク装置と
のＩＤＥ嵌挿槽同士を直接に嵌挿させるようにすることを特徴とする、 
請求項１に記載のカード読取装置構造。
【手続補正２】
【補正対象書類名】明細書
【補正対象項目名】０００４
【補正方法】変更
【補正の内容】
【０００４】
明らかに、前記のようなカード読取装置の機能は、フラッシュ・メモリ・カードとコンピュータとの間のトランスミッションを担当する架け橋のものとなっており、カード読取装置を介しては、われわれは、コンピュータ装置において、フラッシュ・メモリ・カードに記憶される写真を回覧でき、且つ記憶されるミュージックを楽しむことができ、またはそれを記憶されるファイルをシェア使用できる。デジタル・カメラ装置とコンピュータ装置をトランスミッション・コードを介して接続して使用する必要はなく、気軽にフラッシュ・メモリ・カードをマイクロ・タイプの身につけられるハード・ディスク装置にアップ・グレードさせることができる。また、そのようなカード読取装置には複数種のフォーマットのフラッシュ・メモリ・カード、例えば、コンパクト・フラッシュ・タイプI＆II（ＣＦ）（登録商標）や、マイクロドライブ（ＭＤ）（登録商標）や、スマート・メディア（ＳＭ）（登録商標）や、メモリ・スティック（ＭＳ）（登録商標）や、ＭＳ Ｐｒｏ（登録商標）やＭＳ Ｄｕｏ（登録商標）やマルチメディアカード（ＭＭＣ）（登録商標）やＳｅｃｕｒｅ Ｄｉｇｉｔａｌ（ＳＤ）（登録商標）や新たなｘＤ Ｐｉｃｔｕｒｅ Ｃａｒｄ（ｘＤ）（登録商標）などを合わせて使用できる。また、前記のそれぞれのタイプのフラッシュ・メモリ・カードが世に出ているので、前記のカード読取装置もシングル・デバイスにシングル・スロットのものから、それぞれのタイプのものを相容れるシングル・デバイスに複数のスロットを有する機種へ発展してきた。
【手続補正３】
【補正対象書類名】明細書
【補正対象項目名】００１０
【補正方法】変更
【補正の内容】
【００１０】
図１と図２とはそれぞれ本考案の構成と示す説明図とその内部の構造を示すブロック図である。そのカード読取装置１には四つのメモリ・カード同士を嵌挿可能な嵌挿槽１１を有し、それぞれには、コンパクト・フラッシュ・タイプI＆II（ＣＦ）（登録商標）や、マイクロドライブ（ＭＤ）（登録商標）や、スマート・メディア（ＳＭ）（登録商標）や、メモリ・スティック（ＭＳ）（登録商標）や、ＭＳ Ｐｒｏ（登録商標）やＭＳ Ｄｕｏ（登録商標）やマルチメディアカード（ＭＭＣ）（登録商標）やＳｅｃｕｒｅ Ｄｉｇｉｔａｌ（ＳＤ）（登録商標）や新たなｘＤ Ｐｉｃｔｕｒｅ Ｃａｒｄ（ｘＤ）（登録商標）などの仕様のフラッシュ・メモリ・カード１２を嵌挿できる。且つそのカード読取装置１には、コンピュータ装置のホスト装置と使用中に着脱使用可能なＵＳＢコネクタ１３を有している。その中では、そのカード読取装置１のある側面部にはＩＤＥ嵌挿槽１４が配設され、ＩＤＥコネクタ１５１の配線１５を介してハード・ディスク装置２とカード読取装置１のＩＤＥ嵌挿槽２１，１４と接続できる。他に、前記のカード読取装置とハード・ディスク装置との間の直接のことについては、配線を使用することに限ることはなく、カード読取装置１のＩＤＥ嵌挿槽をそのカード読取装置の裏端部に配設し、ハード・ディスク装置をカード読取装置の表面に跨って配設するとともに、直にカード読取装置のＩＤＥ嵌挿槽と対向接続させるようにすることができる。